(57)【要約】【課題】記録動作待機時や再生動作待機時におけるＲＦ再生系、溝信号再生系の回路の消費電力を削減したディスク装置を提供する。【解決手段】本発明のディスク装置は、記録動作待機時にはピックアップ２を未記録領域に移動させて記録信号再生手段４の大部分または全部の動作を停止させ、再生動作待機時にはピックアップ２を記録領域に移動させて溝信号検出手段５の大部分または全部の動作を停止させることにより、大幅に回路の消費電力を削減できる。【選択図】図１
2007207351.tif 000002
【特許請求の範囲】
【請求項１】
光を照射し、ディスクからの反射光によって記録された情報に対応した信号と記録案内溝に対応した信号を検出する光信号検出手段と、
該光信号検出手段からの記録された情報に対応した信号の振幅を検出する振幅検出手段と、
前記光信号検出手段からの記録案内溝に対応した信号からディスクのアドレス情報を検出する溝信号検出手段と、
前記光信号検出手段からの記録された情報に対応した信号を再生する記録信号再生手段と、
前記光信号検出手段の移動や各手段のパワーダウンを制御する制御手段と
を備え、
該制御手段は、装置が待機状態にあるとき前記溝信号検出手段または前記記録信号再生手段のどちらか一方のパワーダウンを実行することを特徴とするディスク装置。
【請求項２】
前記制御手段は、記録待機状態にあるときはディスクの未記録の領域に前記光信号検出手段を移動させ、前記記録信号再生手段のパワーダウンを実行することを特徴とする請求項1記載のディスク装置。
【請求項３】
前記制御手段は、再生待機状態にあるときはディスクの記録領域に前記光信号検出手段を移動させ、前記溝信号検出手段のパワーダウンを実行することを特徴とする請求項1記載のディスク装置。
【請求項４】
光を照射し、ディスクからの反射光によって記録された情報に対応した信号と記録案内溝に対応した信号を検出する光信号検出手段と、
該光信号検出手段からの記録された情報に対応した信号の振幅を検出する振幅検出手段と、
前記光信号検出手段からの記録案内溝に対応した信号からディスクのアドレス情報を検出する溝信号検出手段と、
前記光信号検出手段からの記録された情報に対応した信号を再生する記録信号再生手段と、
前記光信号検出手段の移動や各手段のパワーダウンを制御する制御手段と
を備え、
該制御手段は、前記振幅検出手段の出力信号または前記溝信号検出手段の出力信号のうち少なくとも１つの信号によって前記記録信号再生手段のパワーダウンを実行することを特徴とするディスク装置。
【請求項５】
前記制御手段は、前記振幅検出手段が振幅がないことを検出している時に前記記録信号再生手段のパワーダウンを実行することを特徴とする請求項４記載のディスク装置。
【請求項６】
前記制御手段は、前記溝信号検出手段がアドレス検出可能な時は前記記録信号再生手段のパワーダウンを実行することを特徴とする請求項４記載のディスク装置。
【発明の詳細な説明】
【技術分野】
【０００１】
本発明は、デジタル情報を記録再生するディスク装置に関し、特に装置の待機時に消費電力の低減を実施する方法に関する。
【背景技術】
【０００２】
昨今、デジタルデータを記録できる記録媒体として、ＤＶＤ−Ｒ、ＤＶＤ−ＲＷ、ＤＶＤ＋Ｒ、ＤＶＤ＋ＲＷといったディスクフォーマットが実用化されている。また、記録再生動作の高倍速化によって記録品質の低下や再生信号の品質低下が問題となり、ビタビ復号などのデジタル信号処理で再生能力の向上を図った装置が提案されている。しかしながら、デジタル回路の増大や、高クロック化によって消費電力の増大が問題となっている。特に、ムービーなどに応用されるディスクドライブにとっては大きな問題となる。このような課題に対して、ビタビ復号時のみビタビ復号器にクロックを供給するようにして消費電力の削減を図る方法が特許文献１で提案されている。この提案によるとビタビ復号器の消費電力は削減できるが、ＲＦ再生系全体の消費電力の３割程度の消費電力しか削減できない。
【０００３】
また、前記の録媒体には記録時に記録位置を制御するために記録案内溝があり記録案内溝を蛇行させたり溝と溝の間にプリピットを形成したりしてアドレス情報を付加している。この記録案内溝信号からアドレス情報を取得するための回路があり、この回路の消費電力を削減することは不可能であり、ムービー装置などのより消費電力削減を必要とする装置へのディスクドライブ導入の大きな課題となっていた。
【特許文献１】特開２００２−２５２００号公報
【発明の開示】
【発明が解決しようとする課題】
【０００４】
しかし、従来の構成では、ＲＦ再生系におけるビタビ復号器の消費電力の削減には効果があるが、記録動作待機時や再生動作待機時にＲＦ再生系、溝信号再生系の動作を停止させることについては開示はなく、その結果、ビタビ復号器を除くＲＦ再生系、溝信号再生系の消費電力の削減が難しいという課題を有していた。
【０００５】
従って本発明は、記録動作待機時や再生動作待機時におけるＲＦ再生系、溝信号再生系の回路の消費電力を削減したディスク装置を提供することを主たる目的とする。
【課題を解決するための手段】
【０００６】
本発明のディスク装置は、再生動作待機時または記録動作待機時に意図的に光信号検出手段を移動させることによりＲＦ再生系、溝信号再生系の大部分もしくは全部の動作を停止させることを最も主要な特徴とする。
【０００７】
具体的には、本発明のディスク装置は、光を照射し、ディスクからの反射光によって記録された情報に対応した信号と記録案内溝に対応した信号を検出する光信号検出手段と、該光信号検出手段からの記録された情報に対応した信号の振幅を検出する振幅検出手段と、前記光信号検出手段からの記録案内溝に対応した信号からディスクのアドレス情報を検出する溝信号検出手段と、前記光信号検出手段からの記録された情報に対応した信号を再生する記録信号再生手段と、前記光信号検出手段の移動や各手段のパワーダウンを制御する制御手段とを備え、該制御手段は、装置が待機状態にあるとき前記溝信号検出手段または前記記録信号再生手段のどちらか一方のパワーダウンを実行する。
【０００８】
また前記制御手段は、記録待機状態にあるときはディスクの未記録の領域に前記光信号検出手段を移動させ、前記記録信号再生手段のパワーダウンを実行する。また前記制御手段は、再生待機状態にあるときはディスクの記録領域に前記光信号検出手段を移動させ、前記溝信号検出手段のパワーダウンを実行する。
【０００９】
本発明のディスク装置は、光を照射し、ディスクからの反射光によって記録された情報に対応した信号と記録案内溝に対応した信号を検出する光信号検出手段と、該光信号検出手段からの記録された情報に対応した信号の振幅を検出する振幅検出手段と、前記光信号検出手段からの記録案内溝に対応した信号からディスクのアドレス情報を検出する溝信号検出手段と、前記光信号検出手段からの記録された情報に対応した信号を再生する記録信号再生手段と、前記光信号検出手段の移動や各手段のパワーダウンを制御する制御手段とを備え、該制御手段は、前記振幅検出手段の出力信号または前記溝信号検出手段の出力信号のうち少なくとも１つの信号によって前記記録信号再生手段のパワーダウンを実行する。
【００１０】
また前記制御手段は、前記振幅検出手段が振幅がないことを検出している時に前記記録信号再生手段のパワーダウンを実行する。また前記制御手段は、前記溝信号検出手段がアドレス検出可能な時は前記記録信号再生手段のパワーダウンを実行する。
【発明の効果】
【００１１】
本発明のディスク装置は、記録動作待機時にはピックアップを未記録領域に移動させてＲＦ再生系の大部分または全部の動作を停止させ、再生動作待機時にはピックアップを記録領域に移動させて溝信号再生系の大部分または全部の動作を停止させることにより、大幅に回路の消費電力を削減できる。
【００１２】
また、未記録を検出した時にはＲＦ再生系の大部分の動作を停止し、また、溝信号再生系がアドレス情報を検出可能な時もＲＦ再生系の全部の動作を停止することにより、回路の消費電力を削減できる。
【発明を実施するための最良の形態】
【００１３】
記録領域と未記録領域でＲＦ再生系、溝信号再生系のどちらか一方が大部分または全部の動作を停止可能なことに注目し、意図的にピックアップを移動させることにより低消費電力を実現した。
（実施の形態１）
図１は、本発明装置の実施の形態１に係るディスク装置のブロック図である。
【００１４】
図1の２は光ピックアップであり、光を照射し、光ディスク１からの反射光によって記録された情報に対応したＲＦ再生信号２２と記録案内溝（グルーブ）に対応した溝信号２０を検出する光信号検出手段に相当する。３は振幅検出手段であり、光ピックアップ１からの記録された情報に対応したＲＦ再生信号２２の振幅を検出する。４は記録信号再生手段であり、光ピックアップ１からの記録された情報に対応したＲＦ再生信号２２を再生する。５は溝信号検出手段であり、光ピックアップ１からの記録案内溝に対応した溝信号２０からディスクのアドレス情報を検出する。
【００１５】
６は制御手段であり、光ピックアップ１の移動や各手段のパワーダウンを制御する。制御手段６は、ホスト（本実施の形態ではムービー本体）からの動作指令信号（状態信号２５）に基づいて、本ディスク装置が待機状態にあるか否かを判断し、装置が待機状態にあるときは溝信号検出手段５または記録信号再生手段４のどちらか一方のパワーダウンを実行する。すなわち、制御手段６は、状態信号２５に基づいて記録待機状態にあると判断したときはディスクの未記録の領域に光ピックアップ１を移動させ、記録信号再生手段４のパワーダウンを実行する。制御手段６は、状態信号２５に基づいて再生待機状態にあると判断したときはディスクの記録領域に光ピックアップ１を移動させ、溝信号検出手段５のパワーダウンを実行する。
【００１６】
光ディスク１はたとえば、ＤＶＤ−Ｒ、ＤＶＤ−ＲＷ、ＤＶＤ＋Ｒ、ＤＶＤ＋ＲＷなどがある。本実施の形態ではＤＶＤ−ＲＷを例にしてパワーダウンの手順を説明する。
【００１７】
光ディスク１（ＤＶＤ−ＲＷ）には記録部分と未記録部分が存在する。ＤＶＤ−ＲＷディスクの場合、消し残り部分も存在する。
【００１８】
図２にＤＶＤ−ＲＷディスクの溝の構成を示す。ＤＶＤ−ＲＷディスクにはグルーブとランドがあり、グルーブにデータを記録する。ランドの一部にはあらかじめランドプリピット（＝ＬＰＰ）と呼ばれるアドレスがあり、同図の上から２番目のグルーブをトレースしている時に光ピックアップ２からの差動信号が送られて溝信号２０が得られる。またＬＰＰの部分の所で外乱が発生してＬＰＰに対応した信号も発生する。溝信号検出手段５において、溝信号２０を所定のスライスレベル２１でスライスし、復調してアドレス情報を得る。この溝信号２０は記録済みの領域でも得られるが、信号のＳ／Ｎが悪く、ほとんど再生できないものとして扱わなければならない。また、記録済みの領域からは記録データに対応した８−１６変調のＲＦ信号が得られる。振幅検出手段３には図３に示すようなＲＦ再生信号２２が入力される。このＲＦ再生信号２２には(a)通常記録部、(b)消し残り部、(c)未記録部が含まれる。ＲＦ再生信号２２を所定のスライスレベル２３でスライスし、信号が記録されている(a)通常記録部分を示すエンベロープ信号２４を生成する。このスライスレベル決定時は、(b)消し残り部はＬｏｗにできるように注意する必要がある。
【００１９】
図４は本実施の形態に係るディスク装置内の回路の動作を説明するフローチャートである。図４のフローチャートを用いて回路の動作を説明する。
【００２０】
まず、制御手段６の指令により図示しない回転手段で光ディスク１を回転させ（ST1）、光ピックアップ２のレーザーをＯＮし（ST2）、光ディスク１の記録面にフォーカス、トラッキングさせ（ST3,4）、光ピックアップ２において溝信号が生成され溝信号が溝信号検出手段５に入力され、また、記録領域ではＲＦ信号が生成されて、振幅検出手段３および記録信号再生手段４に入力される。制御手段６は記録信号再生手段４と溝信号検出手段５（両者を併せてアドレス再生手段とする）をパワーＯＮし（ST5）、現在光ピックアップ２が再生している位置のアドレス情報を取得する（ST6）。
【００２１】
次に、制御手段６は図示しない移動手段によって光ピックアップ２をコントロールデータや記録位置情報が記録されている位置までシークさせ、記録信号再生手段４を通してディスクのコントロール情報を取得する（ST7）。
【００２２】
次に、制御手段６は図示しない移動手段によって光ピックアップ２を移動させながら、振幅検出手段３から得られるエンベロープ信号２４と記録信号再生手段４から得られるＲＦ再生信号２２のアドレス情報と溝信号検出手段５から得られる溝信号２０のアドレス情報とから記録領域と未記録領域を判別し、記録可能アドレスを判別する（ST8）。
【００２３】
具体的には、コントロール情報や記録位置情報に含まれる記録済み領域情報をもとに、記録済み領域のエンベロープ信号２４がＨｉｇｈで、ＲＦ再生信号２２のアドレス情報が取得できることを確認して、記録済みとする。未記録部分は溝信号２０のアドレス情報をもとに光ピックアップ２をシークさせる。記録可能アドレス情報とは、追記型ディスクにおいて、次にデータを記録できるアドレスのことである。
【００２４】
ここで、制御手段６は後方回路（ホスト）の状態信号２５を受付け（ST20）、制御手段６は例えばムービー本体からの状態信号２５を判別する（ST21）。後方回路（ホスト）が記録待機状態であった場合、図示しない移動手段によって光ピックアップ２を未記録領域に移動させ（ST22）、記録信号再生手段４のパワーをＯＦＦし、コマンド待機状態に移行する（ST23）。また、後方回路（ホスト）が再生待機状態であった場合、図示しない移動手段によって光ピックアップ２を記録領域に移動させ（ST24）、溝信号検出手段５のパワーをＯＦＦし、コマンド信号２６の待機状態に移行する（ST25）。そして後方回路から記録あるいは再生動作コマンドが発行された場合（ST9）、記録あるいは再生動作を行う（ST14）。
【００２５】
もし、コマンド待ち時間が長く、ある一定時間を超えた場合（ST10）、スリープ動作に入る（ST11）。スリープ動作に入ったあとに記録あるいは再生動作コマンド（コマンド信号２６）を受け付けた場合（ST12）は、復帰動作を実行したのちに記録あるいは再生動作を行う（ST13,14）。ここでいうスリープ動作とは、例えば現在の動作状態を記憶した後にアドレス再生手段ＯＦＦ、トラッキングＯＦＦ、フォーカスＯＦＦ、レーザーＯＦＦ、ディスク回転停止することである。復帰時にはディスク回転からアドレス再生手段ＯＮまで順に記憶しておいた動作状態に戻すことである。
【００２６】
以上より、本実施の形態のディスク装置は、後方回路の待機状態を判別して、記録待機状態にある場合は光ピックアップ２を未記録領域に移動させて記録信号再生手段４のパワーをＯＦＦし、再生待機状態であった場合、光ピックアップ２を記録領域に移動させ、溝信号検出手段５のパワーをＯＦＦすることにより、装置が動作待機状態にあるときも消費電力を大幅に削減することができる。
【００２７】
ホストの例に挙げたムービーは一般的に撮影モードと再生モードを切替えて使用するものが多く、待機状態の場合が多いにもかかわらず、撮影開始には瞬時の復帰が必要なためスリープにできない場合が多い。したがって、本発明を適用すると消費電力の効果は絶大である。
【００２８】
なお、本実施の形態ではＤＶＤ−ＲＷを例に挙げて説明したが、他のメディアにおいても同様の効果を発揮する。また、後方回路はムービー本体を例に挙げて説明したが、レコーダ、パソコンなどでも同様に効果を発揮できる。
【００２９】
また、動作指令信号として待機状態の判別に後方回路の状態信号２５を使用したが、コマンド２６の発行履歴などからディスク装置自身で判別しても良い。
【００３０】
また、本実施の形態ではスリープ動作の説明をしたが、場合に応じてＴを大きくしてスリープ動作なしに指定できる。
【００３１】
（実施の形態２）
本実施の形態も図１の光ディスク装置を用いる。実施の形態１との差異は、制御手段６が、振幅検出手段３の出力信号または溝信号検出手段５の出力信号のうち少なくとも１つの信号によって記録信号再生手段４のパワーダウンを実行することである。具体的には、制御手段６は、振幅検出手段３が振幅がないことを検出している時に記録信号再生手段４のパワーダウンを実行する。また制御手段６は、溝信号検出手段５がアドレス検出可能な時は記録信号再生手段４のパワーダウンを実行する。
【００３２】
次に、図５のフローチャートを用いて、本実施の形態を説明する。図５は、図４のフローチャートのＡとＢの間に挿入する動作である。
【００３３】
図５を挿入した場合、制御手段６はホストから振幅チェックモードであるか否かを示すモード信号２７を受付け、振幅チェックモードであるかを判断し（ST51）、そうである場合はST52に移行し、後方回路（ホスト）の状態に関係なく振幅検出手段３のエンベロープ信号がＬｏｗの場合、制御手段６は記録信号再生手段４のパワーをＯＦＦする（ST53）。
【００３４】
また、制御手段６はホストから溝アドレスチェックモードであるか否かを示すモード信号２７を受付け、溝アドレスチェックモードであるかを判断し（ST54）、そうである場合はST55に移行し、後方回路（ホスト）の状態に関係なく溝信号検出手段５で溝信号のアドレス情報が読めている場合、記録信号再生手段４のパワーをＯＦＦする（ST56）。この２つの動作は選択的に実行できるように構成する。
【００３５】
本実施の形態のディスク装置は、選択的に後方回路の待機状態を判別せずとも振幅検出手段３が未記録を検出している場合や、溝信号検出手段５で溝信号のアドレス情報が読めている場合、記録信号再生手段４のパワーをＯＦＦすることにより、消費電力を削減することができる。
【００３６】
なお、本実施の形態ではＤＶＤ−ＲＷを例に挙げて説明したが、他のメディアにおいても同様の効果を発揮する。また、後方回路はムービー本体を例に挙げて説明したが、レコーダ、パソコンなどでも同様に効果を発揮できる。
【００３７】
また、溝信号２０の復調やＲＦ再生信号２２の復調は制御手段６で行っても良いし、記録信号再生手段４のパワーダウンを振幅検出手段３のエンベロープ信号２４や溝信号検出手段５の溝信号２０のアドレス情報読み取り信号によりハード的にパワーＯＦＦしても良い。
【００３８】
また、実施の形態２のパワーダウン方法を実施の形態１のパワーダウン方法と融合させて説明したが、それぞれのパワーダウン方法を独立に用いても良いことは言うまでもない。
【産業上の利用可能性】
【００３９】
以上のように本発明に係るディスク装置は、ムービーなどのバッテリー動作時の消費電力削減などに非常に有効である。
【図面の簡単な説明】
【００４０】
【図１】本発明の実施の形態1に係るディスク装置のブロック図
【図２】ＤＶＤ−ＲＷのディスクの構成図
【図３】振幅検出手段３の動作を説明する波形図
【図４】本実施の形態に係るディスク装置内の回路の動作を説明するフローチャート
【図５】本発明の他の実施の形態に係るディスク装置内の回路の動作を説明するフローチャート
【符号の説明】
【００４１】
１    光ディスク
２    光ピックアップ
３    振幅検出手段
４    記録信号再生手段
５    溝信号検出手段
６    制御手段
２０    溝信号
２２    ＲＦ再生信号
２５    状態信号
【図１】
2007207351.tif 000003
【図２】
2007207351.tif 000004
【図３】
2007207351.tif 000005
【図４】
2007207351.tif 000006
【図５】
2007207351.tif 000007